(57)【要約】【課題】利用者がゲートの入口を通過する前に当該利用者に対して無線タグのバッテリが切れていることを認識させることができるゲート制御システムを提供する。【解決手段】ゲート制御システムは、バッテリの残量を質問する情報を受信した際にバッテリの残量の値が予め設定された残量閾値以上の場合に音声または振動を発生させる無線タグに対して、ゲートの入口よりも手前の側を通信範囲としてバッテリの残量を質問する情報を送信する残量情報読取器、を備えた。【選択図】図１
2016001433.tif 000002
【特許請求の範囲】
【請求項１】
バッテリの残量を質問する情報を受信した際にバッテリの残量の値が予め設定された残量閾値以上の場合に音声または振動を発生させる無線タグに対して、ゲートの入口よりも手前の側を通信範囲としてバッテリの残量を質問する情報を送信する残量情報読取器、
を備えたゲート制御システム。
【請求項２】
前記残量情報読取器よりも前記ゲートの扉の側を通信範囲として、無線タグのバッテリによる駆動を要する方法において無線タグとの間で通信を行う第１個人識別情報読取器と、
前記残量情報読取器よりも前記ゲートの扉の側を通信範囲として、無線タグのバッテリによる駆動を要しない方法において無線タグとの間で通信を行う第２個人識別情報読取器と、
前記第１個人識別情報読取器または前記第２個人識別情報読取器が当該無線タグから受信した個人識別情報に基づいて前記扉を開くか否かを判定する制御装置と、
を備えた請求項１に記載のゲート制御システム。
【請求項３】
前記残量情報読取器の通信範囲に存在する利用者を検出する人感センサと、
前記ゲートに設けられ、前記人感センサによる利用者の検出中に前記残量情報読取器がバッテリの残量を質問する情報を送信した際に前記残量情報読取器が無線タグからの応答を受信しない場合に、予め設定された内容を表示する表示器と、
を備えた請求項１また請求項２に記載のゲート制御システム。
【請求項４】
前記残量情報読取器がバッテリの残量を質問する情報を送信した際に前記残量情報読取器が無線タグからの応答を受信しない場合に、当該無線タグの個人識別情報に対応付けられたメールアドレスにバッテリの情報を送信するメールサーバ、
を備えた請求項１から請求項３のいずれか一項に記載のゲート制御システム。
【発明の詳細な説明】
【技術分野】
【０００１】
この発明は、ゲート制御システムに関する。
【背景技術】
【０００２】
ゲート制御システムにおいて、読取器は、ゲートの入口を通信範囲とする。利用者が無線タグを携帯してゲートの入口を通過すると、無線タグは、バッテリによる駆動を要する方法において読取器との間で通信を行う。この際、無線タグは、個人識別情報を送信する。読取器は、個人識別情報を受信する。制御装置は、読取器が受信した個人識別情報に基づいて扉を開くか否かを判定する。
【０００３】
ゲート制御システムにおいて、無線タグのバッテリが切れていると、無線タグは、個人識別情報を送信しない。読取器は、個人識別情報を受信しない。その結果、制御装置は、扉を開くか否かを判定しない。このため、無線タグの個人識別情報が認証されるべきものである場合でも、扉は開かない。この場合、利用者は、ゲートの出口から出ることができない。
【０００４】
これに対し、特許文献１に記載の報知システムは、エリアに進入した端末装置に警報を発生させることで、利用者にエリアに進入したことを報知する。当該報知システムをゲート制御システムに適用すれば、無線タグのバッテリが切れている際に無線タグがゲートの入口に進入しても、警報が発生することはない。このため、利用者は、無線タグのバッテリが切れていることを認識することができる。
【先行技術文献】
【特許文献】
【０００５】
【特許文献１】特開２０１０−１７０４６９号公報
【発明の概要】
【発明が解決しようとする課題】
【０００６】
しかしながら、このとき、利用者は、ゲートの入口を既に通過している。このため、利用者は、ゲートの入口に引き返してゲートから出なければならない。
【０００７】
この発明は、上述の課題を解決するためになされた。この発明の目的は、利用者がゲートの入口を通過する前に当該利用者に対して無線タグのバッテリが切れていることを認識させることができるゲート制御システムを提供することである。
【課題を解決するための手段】
【０００８】
この発明に係るゲート制御システムは、バッテリの残量を質問する情報を受信した際にバッテリの残量の値が予め設定された残量閾値以上の場合に音声または振動を発生させる無線タグに対して、ゲートの入口よりも手前の側を通信範囲としてバッテリの残量を質問する情報を送信する残量情報読取器、を備えた。
【発明の効果】
【０００９】
この発明によれば、残量情報読取器は、ゲートの入口よりも手前の側を通信範囲としてバッテリの残量を質問する情報を送信する。無線タグは、バッテリの残量を質問する情報を受信する。バッテリの残量の値が予め設定された残量閾値以上の場合、無線タグは、音声または振動を発生させる。無線タグのバッテリが切れている場合、ゲートの入口よりも手前の側で、無線タグは、音声および振動を発生させない。このため、利用者がゲートの入口を通過する前に当該利用者に対して無線タグのバッテリが切れていることを認識させることができる。
【図面の簡単な説明】
【００１０】
【図１】この発明の実施の形態１におけるゲート制御システムの構成図である。
【図２】この発明の実施の形態１におけるゲート制御システムに利用される無線タグのブロック図である。
【図３】この発明の実施の形態１におけるゲート制御システムの動作を説明するためのフローチャートである。
【発明を実施するための形態】
【００１１】
この発明を実施するための形態について添付の図面に従って説明する。なお、各図中、同一又は相当する部分には、同一の符号が付される。当該部分の重複説明は適宜に簡略化又は省略化される。
【００１２】
実施の形態１．
図１はこの発明の実施の形態１におけるゲート制御システムの構成図である。
【００１３】
図１において、ゲート１は、一対の壁１ａを備える。扉１ｂは、一対の壁１ａの奥の側に設けられる。図示しない駆動装置は、扉１ｂを開閉し得るように設けられる。駆動装置は、通常時に扉１ｂを閉めた状態に維持する。
【００１４】
バッテリチェックエリア２ａは、ゲート１の入口よりも手前の側に設定される。認証エリア２ｂは、ゲート１の入口に設定される。認証エリア２ｂの手前の側は、バッテリチェックエリア２ａの奥の側と重なっていてもよい。認証エリア２ｂの奥の側は、一対の壁１ａの手前の側と重なっていてもよい。
【００１５】
人感センサ３は、バッテリチェックエリア２ａに対応して設けられる。人感センサ３は、バッテリチェックエリア２ａに存在する利用者を検出し得るように設けられる。
【００１６】
残量情報読取器４は、バッテリチェックエリア２ａに対応して設けられる。残量情報読取器４は、アンテナとリーダライタとを備える。残量情報読取器４は、能動型無線タグと数ｍ以下の中距離通信を行い得るように設けられる。残量情報読取器４は、能動型無線タグとの通信可能範囲がバッテリチェックエリア２ａとなるように設けられる。
【００１７】
第１個人識別情報読取器５は、認証エリア２ｂに対応して設けられる。第１個人識別情報読取器５は、アンテナとリーダライタとを備える。第１個人識別情報読取器５は、能動型無線タグと数ｍ以下の中距離通信を行い得るように設けられる。第１個人識別情報読取器５は、能動型無線タグとの通信可能範囲が認証エリア２ｂとなるように設けられる。
【００１８】
第２個人識別情報読取器６は、扉１ｂに隣接する。第２個人識別情報読取器６は、扉１ｂよりも手前の側に設けられる。第２個人識別情報読取器６は、壁１ａの一方に設けられる。第２個人識別情報読取器６は、アンテナとリーダライタとを備える。受動型無線タグと１０ｍｍ以下の短距離通信を行い得るように設けられる。
【００１９】
表示器７は、第２個人識別情報読取器６に隣接して設けられる。表示器７は、扉１ｂよりも手前の側に設けられる。表示器７は、壁１ａの一方に設けられる。表示器７は、外部からの指示に基づいた内容を表示し得るように設けられる。
【００２０】
メールサーバ８は、外部からのメッセージとメールアドレスとに基づいて通信ネットワークを介して当該メッセージを当該メールアドレスに送信し得るように設けられる。
【００２１】
制御装置９は、扉１ｂの駆動装置と人感センサ３と残量情報読取器４と第１個人識別情報読取器５と第２個人識別情報読取器６と表示器７とメールサーバ８とに接続される。制御装置９は、記憶部９ａを備える。記憶部９ａは、図示しない不揮発性メモリと図示しない揮発性メモリとを備える。不揮発性メモリは、通行を許可する者に設定された個人識別情報とメールアドレスとを対応付けて記憶する。例えば、メールアドレスは、通行を許可する者の携帯端末に設定されたメールアドレスからなる。不揮発性メモリは、バッテリ１０ａの残量閾値に対応した情報を記憶する。揮発性メモリは、人感センサ３と残量情報読取器４と第１個人識別情報読取器５と第２個人識別情報読取器６からの情報を一時的に記憶し得るように設けられる。
【００２２】
ゲート制御システムにおいては、無線タグ１０が利用される。無線タグ１０は、バッテリ１０ａと記憶部１０ｂとを備える。例えば、バッテリ１０ａの定格電圧は、「３．０Ｖ」である。例えば、記憶部１０ｂは、個人識別情報Ｍを記憶する。記憶部１０ｂは、最新のバッテリ１０ａの残量の値に対応した情報を記憶する。
【００２３】
無線タグ１０は、利用者に携帯される。利用者がバッテリチェックエリア２ａの第１進入位置に進入すると、人感センサ３は、利用者を検出する。人感センサ３は、利用者の検出情報を制御装置９に通知する。
【００２４】
この際、残量情報読取器４は、バッテリ１０ａの残量を質問する情報を送信する。当該情報は、予め設定されたバッテリ１０ａの残量閾値に対応した情報を含む。例えば、残量閾値は、電圧「２．８Ｖ」に設定される。
【００２５】
無線タグ１０のバッテリ１０ａが不足していない場合、無線タグ１０は、バッテリ１０ａの残量を質問する情報を受信することにより活性化する。無線タグ１０は、記憶部１０ｂから最新のバッテリ１０ａの残量を読み込む。例えば、無線タグ１０は、最新のバッテリ１０ａの残量として電圧「２．９Ｖ」を読み込む。その後、無線タグ１０は、最新のバッテリ１０ａの残量の値と残量閾値とを比較する。無線タグ１０は、最新のバッテリ１０ａの残量の値が残量閾値以上であることを確認する。
【００２６】
その後、無線タグ１０は、最新のバッテリ１０ａの残量の情報を送信する。この際、無線タグ１０は、音声を発生させる。無線タグ１０は、振動を発生させる。利用者は、無線タグ１０の音声と振動とが発生したことによりバッテリ１０ａが切れていないことを認識する。
【００２７】
その後、利用者が認証エリア２ｂの第２進入位置に進入すると、第１個人識別情報読取器５は、個人識別情報を質問する情報を送信する。無線タグ１０は、個人識別情報を質問する情報を受信する。この際、無線タグ１０は、記憶部１０ｂから個人識別情報Ｍを読み込む。その後、無線タグ１０は、個人識別情報Ｍを送信する。第１個人識別情報読取器５は、個人識別情報Ｍを受信する。
【００２８】
制御装置９は、個人識別情報Ｍが記憶部９ａの個人識別情報のリストに含まれているか否かを判定する。個人識別情報Ｍが個人識別情報のリストに含まれていない場合、制御装置９は、扉１ｂが閉まった状態を維持するように駆動装置に指示する。個人識別情報Ｍが個人識別情報のリストに含まれている場合、制御装置９は、扉１ｂが開くように駆動装置に指示する。この際、制御装置９は、利用者以外の者が一緒に通過することを防止するために利用者の通過直後に扉１ｂを閉じるように駆動装置に指示する。
【００２９】
無線タグ１０のバッテリ１０ａが不足している場合、無線タグ１０は、バッテリ１０ａの残量を質問する情報を受信することにより活性化する。無線タグ１０は、記憶部１０ｂから最新のバッテリ１０ａの残量を読み込む。例えば、無線タグ１０は、最新のバッテリ１０ａの残量の値として電圧「２．７Ｖ」を読み込む。その後、無線タグ１０は、最新のバッテリ１０ａの残量の値と残量閾値とを比較する。無線タグ１０は、最新のバッテリ１０ａの残量の値が残量閾値よりも小さいことを確認する。
【００３０】
この場合、無線タグ１０は、最新のバッテリ１０ａの残量の情報を送信しない。この際、制御装置９は、人感センサ３による利用者の検出中に残量情報読取器４が無線タグ１０からの応答を受信しないことを条件として、予め設定された時間だけ「衝突注意」を表示器７に表示させる。例えば、制御装置９は、バッテリチェックエリア２ａから扉１ｂまで通常の速度で歩いた際にかかる時間に相当する時間だけ「衝突注意」を表示器７に表示させる。
【００３１】
この際、無線タグ１０は、音声を発生させない。無線タグ１０は、振動を発生させない。利用者は、無線タグ１０の音声と振動とが発生しない点および「衝突注意」の表示によりバッテリ１０ａの不足またはバッテリ１０ａの切れを認識する。
【００３２】
その後、利用者が認証エリア２ｂの第２進入位置に進入すると、第１個人識別情報読取器５は、個人識別情報を質問する情報を送信する。無線タグ１０は、個人識別情報を質問する情報を受信する。この際、無線タグ１０は、記憶部１０ｂから個人識別情報Ｍを読み込む。その後、無線タグ１０は、個人識別情報Ｍを送信する。第１個人識別情報読取器５は、個人識別情報Ｍを受信する。
【００３３】
制御装置９は、個人識別情報Ｍが記憶部９ａの個人識別情報のリストに含まれているか否かを判定する。個人識別情報Ｍが個人識別情報のリストに含まれていない場合、制御装置９は、扉１ｂが閉まった状態を維持するように駆動装置に指示する。個人識別情報Ｍが個人識別情報のリストに含まれている場合、制御装置９は、扉１ｂが開くように駆動装置に指示する。この際、制御装置９は、利用者以外の者が一緒に通過することを防止するために利用者の通過直後に扉１ｂを閉じるように駆動装置に指示する。
【００３４】
制御装置９は、残量情報読取器４からの応答を受信せずに第１個人識別情報読取器５からの応答を受信したことを条件として、バッテリ１０ａが不足していると判定する。制御装置９は、個人識別情報Ｍに対応したメールアドレスを記憶部９ａのリストから検索する。制御装置９は、「残量注意」のメッセージを当該メールアドレスに送信するようにメールサーバ８に指示する。例えば、制御装置９は、「無線タグがまもなくバッテリ切れします。バッテリを交換してください」とのメッセージを当該メールアドレスに送信するようにメールサーバ８に指示する。
【００３５】
無線タグ１０のバッテリ１０ａが切れている場合、無線タグ１０は、活性化しない。無線タグ１０は、記憶部１０ｂから最新のバッテリ１０ａの残量の値を読み込まない。無線タグ１０は、最新のバッテリ１０ａの残量の情報を送信しない。この際、制御装置９は、人感センサ３による利用者の検出中に残量情報読取器４が無線タグ１０からの応答を受信しないことを条件として、予め設定された時間だけ「衝突注意」を表示器７に表示させる。例えば、制御装置９は、バッテリチェックエリア２ａから扉１ｂまで通常の速度で歩いた際にかかる時間に相当する時間だけ「衝突注意」を表示器７に表示させる。
【００３６】
この際、無線タグ１０は、音声を発生させない。無線タグ１０は、振動を発生させない。利用者は、無線タグ１０の音声と振動とが発生しない点および「衝突注意」の表示によりバッテリ１０ａの不足またはバッテリ１０ａの切れを認識する。
【００３７】
その後、利用者が認証エリア２ｂの第２進入位置に進入すると、無線タグ１０は、個人識別情報を質問する情報を第１個人識別情報読取器５から受信する。この際、無線タグ１０は、バッテリ１０ａが切れていることにより活性化しない。このため、無線タグ１０は、個人識別情報Ｍを送信しない。第１個人識別情報読取器５は、個人識別情報Ｍを受信しない。
【００３８】
この時点において、制御装置９は、個人識別情報に基づいた扉１ｂの制御を行わない。利用者は、扉１ｂが開いていないことを目視する。この場合、利用者は、第２個人識別情報読取器６に無線タグ１０をかざす。第２個人識別情報読取器６は、無線タグ１０から個人識別情報Ｍを受信する。
【００３９】
制御装置９は、個人識別情報Ｍが記憶部９ａの個人識別情報のリストに含まれているか否かを判定する。個人識別情報Ｍが個人識別情報のリストに含まれていない場合、制御装置９は、扉１ｂが閉まった状態を維持するように駆動装置に指示する。個人識別情報Ｍが個人識別情報のリストに含まれている場合、制御装置９は、扉１ｂが開くように駆動装置に指示する。この際、制御装置９は、利用者以外の者が一緒に通過することを防止するために利用者の通過直後に扉１ｂを閉じるように駆動装置に指示する。
【００４０】
制御装置９は、残量情報読取器４からの応答を受信せずに第１個人識別情報読取器５からの応答を受信しないことを条件として、バッテリ１０ａが切れていると判定する。制御装置９は、個人識別情報Ｍに対応したメールアドレスを記憶部９ａのリストから検索する。制御装置９は、「バッテリ切れ」のメッセージを当該メールアドレスに送信するようにメールサーバ８に指示する。例えば、制御装置９は、「無線タグがバッテリ切れしています。直ちにバッテリを交換してください」とのメッセージを当該メールアドレス宛に送信するようにメールサーバ８に指示する。
【００４１】
次に、図２を用いて、無線タグ１０を説明する。
図２はこの発明の実施の形態１におけるゲート制御システムに利用される無線タグのブロック図である。
【００４２】
図２に示すように、無線タグ１０は、バッテリ１０ａ、記憶部１０ｂの他に残量監視部１０ｃと能動型送受信部１０ｄと受動型送受信部１０ｅと音声発生部１０ｆと振動発生部１０ｈと制御部１０ｉとを備える。
【００４３】
残量監視部１０ｃは、バッテリ１０ａの残量を監視する。
【００４４】
能動型送受信部１０ｄは、アンテナと送信回路と受信回路とを備える。能動型送受信部１０ｄは、残量情報読取器４または第１個人識別情報読取器５との間で通信を行う。
【００４５】
受動型送受信部１０ｅは、アンテナと送信回路と受信回路とを備える。受動型送受信部１０ｅは、第２個人識別情報読取器６との間で通信を行う。
【００４６】
音声発生部１０ｆは、外部からの指示で音声を発生させる。例えば、音声発生部１０ｆは、音声「ピッ」を発生させる。振動発生部１０ｈは、外部からの指示で振動を発生させる。例えば、振動発生部１０ｈは、１秒間連続して振動を発生させる。
【００４７】
制御部１０ｉは、バッテリ１０ａの残量の通知を１時間ごとに残量監視部１０ｃから受ける。制御部１０ｉは、残量監視部１０ｃからバッテリ１０ａの残量の通知を受けるたびに記憶部１０ｂに記憶されたバッテリ１０ａの残量の最新値を更新する。
【００４８】
制御部１０ｉは、能動型送受信部１０ｄが残量情報読取器４から情報を受信した際にバッテリ１０ａを利用して活性化する。
【００４９】
制御部１０ｉは、能動型送受信部１０ｄが残量情報読取器４からバッテリ１０ａの残量を質問する情報を受信した際にバッテリ１０ａの残量が不足していない場合にバッテリ１０ａの残量の情報を能動型送受信部１０ｄに送信させる。この際、制御部１０ｉは、音声発生部１０ｆと振動発生部１０ｈとを駆動する。
【００５０】
制御部１０ｉは、能動型送受信部１０ｄが残量情報読取器４からバッテリ１０ａの残量を質問する情報を受信した際にバッテリ１０ａの残量が不足している場合にバッテリ１０ａの残量の情報を能動型送受信部１０ｄに送信させない。この際、制御部１０ｉは、音声発生部１０ｆと振動発生部１０ｈとを駆動しない。
【００５１】
制御部１０ｉは、能動型送受信部１０ｄが残量情報読取器４からバッテリ１０ａの残量を質問する情報を受信した際にバッテリ１０ａが切れている場合に何もできない。
【００５２】
制御部１０ｉは、能動型送受信部１０ｄが第１個人識別情報読取器５からの信号を受信した際にバッテリ１０ａを利用して活性化する。
【００５３】
制御部１０ｉは、能動型送受信部１０ｄが第１個人識別情報読取器５から個人識別情報を質問する情報を受信した際にバッテリ１０ａが切れている場合以外に個人識別情報Ｍを能動型送受信部１０ｄに送信させる。
【００５４】
制御部１０ｉは、受動型送受信部１０ｅが第２個人識別情報読取器６から情報を受信した際に当該情報に対応した信号による起電力を利用して駆動する。
【００５５】
制御部１０ｉは、受動型送受信部１０ｅが第２個人識別情報読取器６から個人識別情報を質問する情報を受信した場合は常に個人識別情報Ｍを受動型送受信部１０ｅに送信させる。
【００５６】
次に、図３を用いて、ゲート制御システムの動作を説明する。
図３はこの発明の実施の形態１におけるゲート制御システムの動作を説明するためのフローチャートである。
【００５７】
ステップＳ１では、制御装置９は、人感センサ３が利用者を検知したか否かを判定する。ステップＳ１で人感センサ３が利用者を検知していない場合は、ステップＳ１が繰り返される。ステップＳ１で人感センサ３が利用者を検知した場合は、ステップＳ２に進む。ステップＳ２では、制御装置９は、残量情報読取器４への応答があるか否かを判定する。
【００５８】
ステップＳ２で残量情報読取器４への応答がある場合は、ステップＳ３に進む。ステップＳ３では、制御装置９は、第１個人識別情報読取器５からの個人識別情報Ｍを認証するか否かを判定する。
【００５９】
ステップＳ３で個人識別情報Ｍが認証されない場合は、ステップＳ４に進む。ステップＳ４では、制御装置９は、認証されなかったことを示すブザーを鳴らす。その後、ステップＳ５に進み、警備員は、利用者を確認した上でブザーをリセットする。その後、動作が終了する。
【００６０】
ステップＳ３で個人識別情報Ｍが認証された場合は、ステップＳ６に進む。ステップＳ６では、記憶部９ａは、認証された個人識別情報Ｍを記憶する。その後、ステップＳ７に進み、制御装置９は、扉１ｂを開かせる。その後、ステップＳ８に進み、制御装置９は、バッテリ１０ａの不足に関する情報が記憶されているか否かを判定する。
【００６１】
ステップＳ８でバッテリ１０ａの不足に関する情報が記憶されていない場合は、動作が終了する。
【００６２】
ステップＳ２で残量情報読取器４への応答がない場合は、ステップＳ９に進む。ステップＳ９では、表示器７は、「衝突注意」を表示する。その後、ステップＳ１０に進み、制御装置９は、第１個人識別情報読取器５への応答があるか否かを判定する。
【００６３】
ステップＳ１０で第１個人識別情報読取器５への応答がある場合は、ステップＳ１１に進む。ステップＳ１１では、記憶部９ａは、バッテリ１０ａの不足に関する情報を記憶する。その後、ステップＳ３以降の動作が行われる。この際、ステップＳ８において、バッテリ１０ａの不足に関する情報が記憶されている。この場合は、ステップＳ１２に進み、メールサーバ８は、個人識別情報Ｍに対応したメールアドレスにメールを送信する。
【００６４】
ステップＳ１０で第１個人識別情報読取器５への応答がない場合は、ステップＳ１３に進む。ステップＳ１３では、制御装置９は、第２個人識別情報読取器６からの個人識別情報Ｍを認証するか否かを判定する。
【００６５】
ステップＳ１３で個人識別情報Ｍが認証されない場合は、ステップＳ４以降の動作が行われる。
【００６６】
ステップＳ１３で個人識別情報Ｍが認証された場合は、ステップＳ１４に進む。ステップＳ１４では、制御装置９は、扉１ｂを開かせる。その後、ステップＳ１５に進み、メールサーバ８は、個人識別情報Ｍに対応したメールアドレスにメールを送信する。その後、動作が終了する。
【００６７】
以上で説明した実施の形態１によれば、残量情報読取器４は、ゲート１の入口よりも手前の側を通信範囲としてバッテリ１０ａの残量を質問する情報を送信する。無線タグ１０は、バッテリ１０ａの残量を質問する情報を受信する。バッテリ１０ａの残量の値が予め設定された残量閾値以上の場合、無線タグ１０は、音声または振動を発生させる。無線タグ１０のバッテリ１０ａが切れている場合、ゲート１の入口よりも手前の側で、無線タグ１０は、音声および振動を発生させない。このため、利用者がゲート１の入口を通過する前に当該利用者に対して無線タグ１０のバッテリ１０ａが切れていることを認識させることができる。この際、利用者は、扉１ｂが開かないことを認識する。このため、利用者が扉１ｂに衝突することを防止できる。
【００６８】
また、第１個人識別情報読取器５は、無線タグ１０のバッテリ１０ａによる駆動を要する方法において無線タグ１０との間で通信を行う。これに対し、第２個人識別情報読取器６は、無線タグ１０のバッテリ１０ａによる駆動を要しない方法において無線タグ１０との間で通信を行う。このため、無線タグ１０のバッテリ１０ａが切れている場合でも、無線タグ１０の個人識別情報に基づいて扉１ｂを開くか否かを判定することができる。その結果、無線タグ１０のバッテリ１０ａが切れている場合でも、利用者は、ゲート１を円滑に通過することができる。
【００６９】
また、表示器７は、人感センサ３による利用者の検出中に残量情報読取器４がバッテリ１０ａの残量を質問する情報を送信した際に残量情報読取器４が無線タグ１０からの応答を受信しない場合に、予め設定された内容を表示する。このため、利用者は、無線タグ１０の音声と振動とに気付かなくても表示器７の表示により無線タグ１０のバッテリ１０ａが切れていることを認識することができる。
【００７０】
また、メールサーバ８は、残量情報読取器４がバッテリ１０ａの残量を質問する情報を送信した際に残量情報読取器４が無線タグ１０からの応答を受信しない場合に、無線タグ１０の個人識別情報に対応付けられたメールアドレスにバッテリ１０ａの情報を送信する。このため、利用者がゲート１を通過した後に無線タグ１０のバッテリ１０ａが切れていることを忘れても、利用者に対し、無線タグ１０のバッテリ１０ａが切れていることを気付かせ、バッテリ１０ａの交換を促すことができる。
【００７１】
なお、図１または図２の各装置、各機能は、必ずしも１個の部品または装置でなくてもよい。例えば、複数の部品または装置で１つの機能を実現してもよい。例えば、１個の部品または装置で複数の機能を実現してもよい。
【符号の説明】
【００７２】
１  ゲート、  １ａ  壁、  １ｂ  扉、  ２ａ  バッテリチェックエリア、  ２ｂ  認証エリア、  ３  人感センサ、  ４  残量情報読取器、  ５  第１個人識別情報読取器、  ６  第２個人識別情報読取器、  ７  表示器、  ８  メールサーバ、  ９  制御装置、  ９ａ  記憶部、  １０  無線タグ、  １０ａ  バッテリ、  １０ｂ  記憶部、  １０ｃ  残量監視部、  １０ｄ  能動型送受信部、  １０ｅ  受動型送受信部、  １０ｆ  音声発生部、  １０ｈ  振動発生部、  １０ｉ  制御部
【図１】
2016001433.tif 000003
【図２】
2016001433.tif 000004
【図３】
2016001433.tif 000005